(57)【要約】【課題】成長率に優れるカレイ目魚類の養殖方法を提供する。【解決手段】養殖領域内に、ピークトップが６３５±１５ｎｍのシングルピークからなる赤色光、ピークトップが４６５±１５ｎｍのシングルピークからなる青色光、ピークトップが５２０±１５ｎｍのシングルピークからなる緑色光、ピークトップが４５０±１５ｎｍのシングルピークとピークトップが５５０±２０ｎｍのシングルピークとを合成してなる白色光のいずれかを照射することを特徴とする、カレイ目魚類の養殖方法である。特に水温が１０℃以下の場合に前記青色光、緑色光または白色光を照射すると、その成長増加率が高く、水温が１０℃を超える場合には前記青色光、赤色光、白色光の照射によって成長を促進することができる。【選択図】なし【特許請求の範囲】
【請求項１】
養殖領域内に、ピークトップが６３５±１５ｎｍのシングルピークからなる赤色光、ピークトップが４６５±１５ｎｍのシングルピークからなる青色光、ピークトップが５２０±１５ｎｍのシングルピークからなる緑色光、ピークトップが４５０±１５ｎｍのシングルピークとピークトップが５５０±２０ｎｍのシングルピークとを合成してなる白色光のいずれかを照射することを特徴とする、カレイ目魚類の養殖方法。
【請求項２】
水温が１０℃以下の場合に、前記青色光、緑色光または白色光のいずれかを照射することを特徴とする、請求項１記載のカレイ目魚類の養殖方法。
【請求項３】
水温が１０℃を超えた場合に、前記青色光、赤色光または白色光のいずれかを照射することを特徴とする、請求項１または２記載のカレイ目魚類の養殖方法。
【請求項４】
上記カレイ目魚類がマツカワ（学名：Ｖｅｒａｓｐｅｒ ｍｏｓｅｒｉ）であることを特徴とする請求項１〜３のいずれかに記載のカレイ目魚類の養殖方法。
【発明の詳細な説明】
【技術分野】
【０００１】
本発明は、ヒラメ、カレイ、マツカワ等のカレイ目魚類の養殖方法に関する。
【背景技術】
【０００２】
ヒラメやカレイ等のカレイ目魚類は自然界での生息数が激減しているため、養殖による資源数の確保および増産が熱望されている。特に、カレイ目魚類の中でもマツカワ（学名：Ｖｅｒａｓｐｅｒ ｍｏｓｅｒｉ）は冷水性高級魚として知られ、カレイ目の需要を満たすために水槽飼育する方法が提案されている（特許文献１）。特許文献１記載の技術は、水槽に白色背景色を採用し、孵化後６ヶ月経過後の稚魚を放つとメラニン凝集ホルモンの産生が刺激され食欲が増進されるため、飽食量給餌によって体重が増加するというものである。
【０００３】
また、カレイ目魚類の養殖方法であって、カレイ目魚類の無眼側が接する内面が白色若しくは黄色に視認できるように形成した着色水槽を用いてカレイ目魚類を飼育する方法もある(特許文献２）。人工飼育したマツカワは、無眼側が黒化して商品価値が低下する場合がある。しかしながら、孵化した仔稚魚が着底するまで敷砂水槽内で飼育し、その後白色あるいは黄色水槽で飼育すると、メラニン凝集ホルモン遺伝子の発現量が増加し、無眼側の黒化を抑制することができる、という。なお、水温は１０〜１３℃が好ましいという。着色水槽での飼育水温と無眼側の黒化との関係を調査したところ、１２℃前後の水温が黒化防除に有効であることが見出されたからである。
【０００４】
また、カレイ目魚類の養殖方法であって、養殖領域内に赤色成分を含まない光を照射することを特徴とするカレイ目魚類の養殖方法もある(特許文献３）。赤色光が、カレイ目の成長の妨げになっていることを突き止め、４００〜６００ｎｍの範囲内の光を照射し、カレイ目魚類の成長を促進させるというものである。蛍光灯光にカラーフィルターを透過させて得た青、緑、赤および白色光を照射した場合、赤色によって白色光より体重の増加率が低下している。また、青、緑、赤、黄色の発光ダイオード（以下、単にＬＥＤと称する）光を照射し７ヶ月間飼育した場合に、ＬＥＤ照射光による体重および体長の差は観察されていない。
【０００５】
また、カレイ目魚類の養殖温度に関する技術として、魚類の生息領域内に、６００ｎｍ以下の波長の光を、雌雄決定前から雌雄決定までの間、毎日９〜１５時間照射することを特徴とする、魚類の性統御方法もある(特許文献４）。水温を１８℃以下にすると雌化が促進され、水温を２７℃以上にすると雄化が促進されるという。
【先行技術文献】
【特許文献】
【０００６】
【特許文献１】特許第３８２２８６５号公報
【特許文献２】特開２００４−３５７５１３号公報
【特許文献３】特開２００９−０７２１３８号公報
【特許文献４】特開２００９−１２５０１２号公報
【発明の概要】
【発明が解決しようとする課題】
【０００７】
養殖魚は天然魚に比べて市場価格が低いものの餌等の飼育コストがかかるため、自然界に生息するより成長速度を促進して養殖できることが好ましい。前記特許文献１記載の方法は、白色背景色の水槽を使用して体重増加を図るものであり、特許文献３記載の方法は、赤色光を照射しないことで自然光よりも成長を促進させるものであるが、より迅速に成長を促進しうる方法が望まれる。
なお、特許文献２記載の方法は、白色または黄色水槽で飼育することで無眼側の黒化を防止するものである。商品価値を向上させるには、成長率を確保しつつ無眼側の白色を維持しうるカレイ目魚類の養殖方法が望まれる。
さらに、特許文献４に示すように、カレイ目は水温によって雌雄の割合が変動する可能性がある。雌雄が変化することで、商品価値が低下する場合がある。よって、雌雄を変動させることなく成長率を確保しうるカレイ目魚類の養殖方法が望まれる。
【０００８】
上記現状に鑑み、本発明は、成長効率に優れるカレイ目魚類の養殖方法を提供することを目的とする。
【課題を解決するための手段】
【０００９】
本発明者らは、カレイ目魚類の養殖方法を詳細に検討した結果、カレイ目魚類の成長は照射光に含まれる異なる波長に対応して成長すること、ＬＥＤによる青、緑、赤、白色光を照射すると、自然光を照射した場合よりもカレイ目魚類の成長を促進しうることが判明した。特に、水温が１０℃以下の場合に青、緑、白色光を照射すると日間成長率が促進され、水温が１０℃を超える場合には青、赤、白色光を照射すると日間成長率を促進させることができる。このため、水温に応じてＬＥＤ照射光の波長を変化させることでより効率的なカレイ目魚類の養殖を行うことができる。
【００１０】
すなわち本発明は、養殖領域内に、ピークトップが６３５±１５ｎｍのシングルピークからなる赤色光、ピークトップが４６５±１５ｎｍのシングルピークからなる青色光、ピークトップが５２０±１５ｎｍのシングルピークからなる緑色光、ピークトップが４５０±１５ｎｍのシングルピークとピークトップが５５０±２０ｎｍのシングルピークとを合成してなる白色光のいずれかを照射することを特徴とする、カレイ目魚類の養殖方法を提供するものである。
【００１１】
また本発明は、水温が１０℃以下の場合に、前記青色光、緑色光または白色光のいずれかを照射することを特徴とする、上記カレイ目魚類の養殖方法を提供するものである。
【００１２】
また本発明は、水温が１０℃を超えた場合に、前記青色光、赤色光または白色光のいずれかを照射することを特徴とする、上記カレイ目魚類の養殖方法を提供するものである。
【００１３】
更に、本発明は、上記カレイ目魚類がマツカワ（学名：Ｖｅｒａｓｐｅｒ ｍｏｓｅｒｉ）であることを特徴とする上記のカレイ目魚類の養殖方法を提供するものである。
【発明の効果】
【００１４】
本発明によれば、ピークトップが６３５±１５ｎｍのシングルピークからなる赤色光、ピークトップが４６５±１５ｎｍのシングルピークからなる青色光、ピークトップが５２０±１５ｎｍのシングルピークからなる緑色光、ピークトップが４５０±１５ｎｍのシングルピークとピークトップが５５０±２０ｎｍのシングルピークとを合成してなる白色光のいずれかを照射することで、自然光照射よりもカレイ目魚類の成長を促進させることができる。
【図面の簡単な説明】
【００１５】
【図１】実施例１の養殖において、水温と各ＬＥＤ光照射の際の摂餌量の推移を示す図である。
【図２】実施例１の養殖において、マツカワの体重と体長の推移を示す図である。
【図３】実施例１の養殖において、マツカワの各期の摂餌量を示す図である。
【図４】実施例１の養殖において、マツカワの各期の日間成長率を示す図である。
【図５】実施例２の養殖において、水温と各ＬＥＤ光照射の際の摂餌量の推移を示す図である。
【図６】実施例２の養殖において、マツカワの各期の日間成長率を示す図である。
【図７】比較例１で用いた蛍光灯とカラーフィルタとからなる光源の波長を示す図である。Ａは青色透過光、Ｂは緑色透過光、Ｃは赤色透過光、Ｄは自然光を示す。
【図８】実施例１で使用したＬＥＤ光の波長を示す図である。
【発明を実施するための形態】
【００１６】
本発明は、養殖領域内に、ピークトップが６３５±１５ｎｍのシングルピークからなる赤色光、ピークトップが４６５±１５ｎｍのシングルピークからなる青色光、ピークトップが５２０±１５ｎｍのシングルピークからなる緑色光、ピークトップが４５０±１５ｎｍのシングルピークとピークトップが５５０±２０ｎｍのシングルピークとを合成してなる白色光のいずれかを照射することを特徴とする、カレイ目魚類の養殖方法である。特に、水温が１０℃以下の場合に、前記青色光、緑色光または白色光のいずれかを照射することが好ましく、水温が１０℃を超えた場合に、前記青色光、赤色光、白色光のいずれかを照射すれば、自然光の下で養殖する場合より成長率に優れる。
【００１７】
カレイ目魚類としては、マツカワ属、アブラガレイ属、ムシガレイ属、マコガレイ属などのカレイ科、ガンゾウビラメ属、ヒラメ属、アラメガレイ属などのヒラメ科、その他ウシノシタ科、ダルマガレイ科、スコブタルムス科、コケビラメ科（以上カレイ亜目）、ボウズガレイ科（以上ボウズガレイ亜目）などを例示することができる。以下、便宜のため、カレイ目魚類としてマツカワ（学名：Ｖｅｒａｓｐｅｒ ｍｏｓｅｒｉ）を養殖する場合で説明するが、他の魚類も同様である。
【００１８】
本発明の養殖方法は、孵化後所定の期間を経過した稚魚を使用することが好ましい。魚種によってはＬＥＤ光の照射によって雌雄が変化する場合があるからである。マツカワの場合であれば、孵化後１００日令を経過した稚魚を使用することが好ましい。
【００１９】
本発明で使用する養殖装置は、自然光の照射を防止しうる遮光性のある魚類養殖用の水槽であって、ピークトップが６３５±１５ｎｍのシングルピークからなる赤色光、ピークトップが４６５±１５ｎｍのシングルピークからなる青色光、ピークトップが５２０±１５ｎｍのシングルピークからなる緑色光、ピークトップが４５０±１５ｎｍのシングルピークとピークトップが５５０±２０ｎｍのシングルピークとを合成してなる白色光の光源が配設される養殖装置を広く使用することができる。上記要件を満たせば、材質や形状に限定はない。たとえば、プラスチック、金属、木製、その他で構成される略円柱状の水槽や方形の水槽に、ＬＥＤ照射装置が配設され、同質または異なる素材からなる遮光部材で被覆される装置を例示することができる。
【００２０】
養殖装置は、カレイ目魚類の特性に応じて水槽の内面は白色または黄色などの淡色で構成されることが好ましい。カレイ目魚類は淡色背景の場合にメラニン凝集ホルモンの産生が刺激され、当該ホルモンの食欲増進効果によって摂餌量が増加する場合があるからである。
【００２１】
照射する光は、ピークトップが６３５±１５ｎｍのシングルピークからなる赤色光、ピークトップが４６５±１５ｎｍのシングルピークからなる青色光、ピークトップが５２０±１５ｎｍのシングルピークからなる緑色光、ピークトップが４５０±１５ｎｍのシングルピークとピークトップが５５０±２０ｎｍのシングルピークとを合成してなる白色光である。このような光を照射する装置としては、ＬＥＤ照射装置がある。これらの波形の一例を図８に示す。本発明で使用するＬＥＤ照射装置は上記４色のいずれか１色を照射しうるものであればよい。以降、便宜のため、ＬＥＤ光で説明するが、各青色光、青色光、赤色光、白色光が上記条件を満たせば、ＬＥＤ照射装置に限るものではない。
【００２２】
養殖用水を導入した養殖装置に、マツカワを収容し遮光する。この遮光された養殖装置に、ＬＥＤ照射装置から青色光、緑色光、赤色光、白色光のいずれかを照射する。ＬＥＤ光の照射時間は特に限定はないが、一日あたり８時間を基準とする照射時間が好ましい。上記時間で体重および体長の成長率に優れるからである。ＬＥＤ光を照射すると水温の如何を問わず、自然光を照射した場合と比較して日間成長率が増加する。
魚類は水温の影響を受けやすく水温が低いと成長が遅延若しくは停止する。例えば、マツカワの成長は、水温が１０℃より高い場合には良好であるが、水温が１０℃以下では摂餌量が激減し、それに伴い成長が低下する。ＬＥＤ光を照射した際の水温による成長率の変化を評価したところ、緩成長の１０℃以下の水温の状況で、前記青色光、緑色光、赤色光は自然光よりも成長を促進し、特に前記青色光、緑色光および白色光は赤色光よりも優れて成長を促進することが判明した。
なお、水温が１０℃を超えて１２〜１５℃の範囲では、前記青色光、緑色光、赤色光の照射が自然光を照射した場合よりも成長を促進させた。水温が１０℃を超えるとマツカワは自然光のもとでも成長を停止することなく、経過日ごとに体重を増加させるが、自然光に代えて前記青色光や白色光を照射すると、更に日間成長率を増加させることができる。
このことは、水温に対応してＬＥＤ光の波長を変えることでより成長率を向上させることができることを意味する。１０℃以下の水温の場合に前記青色光、緑色光、白色光を照射することで、特に成長が緩慢な時期に魚体を効率的に成長させ、１０℃を超え、特に１０℃を超えて１５℃以下の範囲で前記青色光、赤色光、白色光を照射することで更に魚体を成長させることができる。なお、水温が１５℃を超えるとＬＥＤ光照射を照射した魚体成長率は自然光を照射した場合と略同等であるから、ＬＥＤ光照射を停止することで電力を節約することができる。
【００２３】
本発明の養殖方法は、マツカワ以外のカレイ目魚類に適用することができる。
【実施例】
【００２４】
次に実施例を挙げて本発明を具体的に説明するが、これらの実施例は何ら本発明を制限するものではない。
【００２５】
（実施例１）
直径１０００ｍｍ、深さ６５０ｍｍのプラスチック製円柱状の水槽にＬＥＤ照射装置を取り付けて養殖装置を構成した。この養殖装置を４基設置し、それぞれに深さ６５０ｍｍとなるように養殖用水を仕込み、これに平均体重３４．０±０．９ｇ、平均体長１１．１±０．１ｃｍのマツカワをそれぞれ２５個体投入した。養殖期間は、１０月１２日から翌年１月１３日までとした。
３基の養殖装置に、ＬＥＤ照射装置から、ピークトップが４６４ｎｍの青色単色光、ピークトップが５１８ｎｍの緑色単色光、ピークトップが６３５ｎｍの赤色単色光のそれぞれを照射した。ＬＥＤ光の照射は、午前９時から午後５時までの８時間とした。また、残り１基の養殖装置は天面を遮光せず自然光が照射される環境とした。４基の養殖装置には、手撒き給餌により一日一回、午後１時に飽食量の給餌を行い、給餌後３０分経過後に残餌を回収した。各ＬＥＤの光量子束密度は、光源から１５ｃｍのところで７．２〜７．４μｍｏｌ／ｍ２・ｓであった。
養殖装置内の水温は、自然環境温度に対応して温度５〜２２℃の範囲で変動した。養殖期間内の水温を図１に示す。養殖期間を、養殖開始から１ヶ月ごとにＩ期、ＩＩ期、ＩＩＩ期に区分すると、各期の平均水温は、１７．４℃、１３．３℃、８．８℃と季節変動を生じた。図２にマツカワの体重と体長の推移を示す。また、図３に各期の摂餌量を、図４に各期の日間成長率を示す。
【００２６】
結果
図２に示すように、いずれの光を照射した場合でも、魚体の成長は体長変化よりも体重変化に大きく表された。各期の摂餌量および日間成長率を比較すると、図３、図４に示すようにＩ期では、青、緑、赤色光および自然光との間に摂餌量および日間成長率に差は認められず、ＩＩ期およびＩＩＩ期では、青色光の照射が最も摂餌量が多く、これに緑、赤、自然光の順に続いた。ＬＥＤ光は、青、緑、赤色光のいずれであっても、自然光と同等か自然光よりも魚体の日間成長率を促進させた。特に、水温が８．８℃のＩＩＩ期では、自然光での日間成長率は０．５％であるが、青色光を照射した場合の日間成長率は０．８と自然光照射の１．６倍に増加した。なお、緑色光を照射した場合は、自然光の日間成長率の１．４倍であった。水温が１３．３℃、１７．４℃のＩＩ基やＩＩＩ期では自然光照射の場合の日間成長率は０．８％であるが、日間成長率の低い低水温期に青、緑色光によって日間成長率を大きく促進させることができた。
【００２７】
（実施例２）
実施例１と同様の養殖装置を４基使用し、それぞれに深さ６５０ｍｍとなるように養殖用水を仕込み、これに平均体長１９．７±０．２ｍｍ、平均体重１７３±５．５ｇのマツカワをそれぞれ１５匹投入した。養殖期間は、４月１日から５月１２日までとした。
４基の養殖装置に、ＬＥＤ照射装置から、ピークトップが４６４ｎｍの青色単色光、ピークトップが５１８ｎｍの緑色単色光、ピークトップが６３５ｎｍの赤色単色光、ピークトップが４４７ｎｍと５５０ｎｍとからなる白色光とをそれぞれ照射した。ＬＥＤ光の照射は、午前９時から午後５時までの８時間とし、手撒き給餌により一日一回、午後１時に飽食量の給餌を行った。各ＬＥＤの放射照度は、光源から１５ｃｍのところで０．７６〜０．８０Ｗ／ｍ２であった。
養殖装置内の水温は、自然環境温度に対応して温度６〜１７℃の範囲で変動した。養殖期間を、４月１日から４月２２日までをＩ期、４月２３日から５月１２日までをＩＩ期に区分すると、各期の平均水温は、９．３±０．４℃、１２．１±０．５℃と季節変動を生じた。図５に、水温と各ＬＥＤ光を照射した際のマツカワの摂餌量の推移を示す。
【００２８】
結果
図５に示すように、水温が１０℃を越える４月２３日前後を境に摂餌行動が変化する傾向が観察された。赤色光は水温が低いＩ期では摂餌量が少なく、水温が高くなるＩＩ期では摂餌量を急激に増加させたが、青、緑、白色光はＩ期、ＩＩ期ともに摂餌量を増加させることができた。図６にＩ期、ＩＩ期の各照射光での日間成長率を示す。水温が９．３℃のＩ期では、青、緑、白色光により１．５％の日間成長率を示した。水温が１２．１℃のＩＩ期では、赤色光は青色光と略同等の日間成長率を示した。白色光も同様であった。
【００２９】
(比較例１）
実施例１と同様な養殖装置を４基使用し、それぞれに深さ５３０ｍｍとなるように養殖用水を仕込み、これに平均体長１７ｃｍ、平均体重８３ｇのマツカワをそれぞれ１０匹投入した。養殖期間は、１２月７日から翌年３月１６日までの約１４週間とした。水温は１３．８℃から１５．６℃の間で変動した。
ＬＥＤ光に代えて、１８ワットの蛍光灯２本にカラーフィルタを透過させて得た青色光、緑色光、赤色光、および白色光を照射し、２週間ごとに体重を測定した。結果を表１に示し、図７にカラーフィルター透過光の波長分布を示す。
【００３０】
結果
表１に示すように、緑色、青色光が体重増加が大きく、白色光がこれに続き、赤色光は白色光よりも低い結果となった。図７に示すように蛍光灯からの白色光には青、緑、赤色波長が含まれるためこれらが総合的に作用し、緑色光、青色光、白色光は赤色光よりも成長を促進したと考えられる。実施例１では、ＬＥＤ光照射では自然光よりも成長が促進された。しかし、自然光と白色蛍光灯の波長成分はまったく異なることが、成長の結果に差異を及ぼしたことが考えられる。なお、参考のため、実施例１で使用したＬＥＤ光源の波長を図８に示す。
【００３１】
【表１】
2013198430.tif 000002
【産業上の利用可能性】
【００３２】
本発明によれば、高級魚であるマツカワなどのカレイ目魚類にＬＥＤ光を照射することで成長を促進するため安全性に優れ、かつ安価に高級魚を生育でき有用である。
【図７】
2013198430.tif 000003
【図１】
2013198430.tif 000004
【図２】
2013198430.tif 000005
【図３】
2013198430.tif 000006
【図４】
2013198430.tif 000007
【図５】
2013198430.tif 000008
【図６】
2013198430.tif 000009
【図８】
2013198430.tif 000010